(57)【要約】要約  光ファイバケーブル接続用の光コネクタプラグ(1a)を横方向に連結した多連結用光コネクタプラグ(1)であって、光コネクタプラグ(1a)の絶縁ハウジング(3)の外周部に、隣接する光コネクタプラグを横方向に連結するための多連結用固定手段(4)を跨設させるための連結ガイド部(3h)を設け、連結ガイド部(3h)には多連結用固定手段(4)の平板部(4a)の一部(4c)と係合する係止部(3j)を設け、隣接する光コネクタプラグ(1a)の連結ガイド部(3h)に固定手段(4)を嵌合して跨設し、固定手段(4)の一部(4c)を係止部(3j)に係止することによって、横方向に連結された多連結用光コネクタプラグ(1)の全体の幅の増加を抑えることができると共に、光コネクタプラグを一つずつ取り外すこと及び追加することを簡単に行うことができる。
2007052359.tif 000002
【特許請求の範囲】
【請求項１】
それぞれが絶縁ハウジングを有する隣接した光コネクタプラグを横方向に連結した、光通信用の光ファイバケーブルを接続するための、多連結用光コネクタプラグであって、
横方向に隣接する光コネクタプラグを連結するための多連結用固定手段を嵌合させるために絶縁ハウジングの外周部に設けられた連結ガイド部と、
該多連結用固定手段の両側壁の一部と係合するために該外周部に設けられた係止部と、
横方向に隣接する該光コネクタプラグの連結ガイド部に嵌合し、該両側壁の一部を該係止部に係合することによって、隣接する該光コネクタプラグに跨設された該多連結用固定手段と
を具備することを特徴とする多連結用光コネクタプラグ。
【請求項２】
絶縁ハウジングの外周部には、隣接する光コネクタプラグと当接する両側面側に横方向に連結の際の、位置決め用の係合突部と係合凹部とが係合するように対向配置に設けられていること、
を特徴とする請求項１に記載の多連結用光コネクタプラグ。
【請求項３】
多連結用固定手段は、
光コネクタプラグを連結する横方向に直交する上下方向から、
該光コネクタプラグ一個分づつずらして互い違いに、絶縁ハウジングの連結ガイド部に嵌合し跨設され、且つ、
該連結ガイド部の係止部にその一部が係止されて、
光コネクタプラグが横方向に連結されること、
を特徴とする請求項１または２に記載の多連結用光コネクタプラグ。
【発明の詳細な説明】
【技術分野】
【０００１】
本発明は光通信に用いられる光ファイバケーブルの接続に使用される多連結用光コネクタプラグに関するものである。
【背景技術】
【０００２】
従来例に係る多連結用光コネクタプラグ20は、例えば、図１０に示すように、光コネクタプラグの合成樹脂製ハウジング21の一側壁に、両側にアリ溝を有する溝と、固定孔を設け、これと対向するもう一方の側壁に該溝及び固定孔に対応する形状を有し先端に該固定孔に係合する係止爪22を設けた固定用突起23を形成して、固定用突起23におけるアリ24を他の光コネクタプラグの溝のアリ溝に嵌合させて、次々に横方向に接続して多連の光コネクタプラグを形成するものが知られている（特開平１１−２０２１６０参照）。
【発明の開示】
【発明が解決しようとする課題】
【０００３】
しかしながら、光コネクタプラグ20を多連にすると、一つの光コネクタプラグ20の幅aが、固定用突起23が有るため、幅広くなっており、これを横方向に連結することで、全体の幅も広くなる。多数の光コネクタプラグを連結した場合でも、なるべく全体の幅を狭くして、他の電子部品の実装面積を広くして、実装面積を有効に活用するのが好ましい。また、光コネクタプラグ20を追加する場合には、前方から後方にスライドさせる連結方法なので、一旦、接続させたレセプタクルから全部の連結済みの光コネクタプラグ20を外して、これに追加する光コネクタプラグ20を連結し、再びレセプタクルに接続しなければならない。連結してレセプタクルに接続した多連結の光コネクタプラグ20から一つの光コネクタプラグ20を外す時も同様の不便さがある。そこで、本発明に係る多連結用光コネクタプラグは、このような課題を解決するために提案されたものである。
【課題を解決するための手段】
【０００４】
本発明に係る多連結用光コネクタプラグの上記課題を解決して上記目的を達成する要旨は、光通信に用いられる光ファイバケーブルを接続するための光コネクタプラグであって、該光コネクタプラグの絶縁ハウジングの外周部には、横方向に隣接する光コネクタプラグを連結する多連結用固定手段を跨設させるための連結ガイド部が設けられ、該連結ガイド部には該多連結用固定手段の平板部の一部と係合する係止部が設けられていることである。【０００５】
また、該絶縁ハウジングの外周部には、隣接する光コネクタプラグと当接する両側面に横方向に連結の際の、位置決め用の係合突部と係合凹部とが係合するように対向配置に設けられていること、
該多連結用固定手段は、光コネクタプラグを連結する横方向に直交する上下方向から、該光コネクタプラグの一つおきにして互い違いに、絶縁ハウジングの連結ガイド部に嵌合し跨設され、且つ、該連結ガイド部の係止部にその一部が係止されて、光コネクタプラグが横方向に連結されること、
が好ましい。この多連結用固定手段は、全体が概ねコ字状の板厚の薄い、金属製もしくは合成樹脂製の固定具であることが好ましい。
【発明の効果】
【０００６】
本発明に係る多連結用光コネクタプラグによれば、隣接する一方の光コネクタプラグの側面に設けた係合突部と他方の光コネクタプラグの側面に設けた係合凹部とを嵌合させて位置合わせし、その後、多連結用固定手段で、上方向からそして下方向からと互い違いに一つおきに２個の絶縁ハウジングの連結ガイド部に跨設させることで、横方向に光コネクタプラグを次々と連結していくことができる。また、絶縁ハウジングの側面側にある係合突部と連結相手側の係合凹部とを嵌合させて位置決めして行うことで、多芯光コネクタプラグを容易に形成できる。更に、レセプタクルに接続させた多連結用光コネクタプラグに対して、光コネクタプラグを一つずつ取り外すこと及び追加することが簡単であり、多連結用光コネクタプラグとしての芯数の変更が容易である。
光コネクタプラグの絶縁ハウジングの横方向側の側面には、位置決め用の小さな突出量の凹凸部があるだけで、絶縁ハウジングの横幅が大きくなることが無く、かつ、多連結用固定手段はその板厚が薄く、絶縁ハウジングの連結ガイド部に嵌合して跨設されるので、幅方向には突出することがなく、従来の光コネクタプラグを多連結した場合よりも、全体の幅の増加を抑えることができる。
【図面の簡単な説明】
【０００７】
【図１Ａ】本発明に係る多連結用光コネクタプラグ1の左側面図である。
【図１Ｂ】本発明に係る多連結用光コネクタプラグ1の平面図である。
【図１Ｃ】本発明に係る多連結用光コネクタプラグ1の右側面図である。
【図２】同多連結用光コネクタプラグ1の横断面図である。
【図３Ａ】同多連結用光コネクタプラグ1における光コネクタプラグ1aの側面図である。
【図３Ｂ】同多連結用光コネクタプラグ1における光コネクタプラグ1aの縦断側面図である。
【図４Ａ】同多連結用光コネクタプラグ1における、多連結用光固定手段4の第１実施例の正面図である。
【図４Ｂ】同多連結用光固定手段4の第１実施例の側面図である。
【図４Ｃ】同多連結用光固定手段4の第１実施例の底面図である。
【図５】同多連結用光コネクタプラグ1の組立方の一例を示す説明図である。
【図６Ａ】同多連結用光コネクタプラグ1の平面図である。
【図６Ｂ】同多連結用光コネクタプラグ1の横断面図である。
【図７Ａ】多連結用光固定手段4の第２実施例の正面図である。
【図７Ｂ】多連結用光固定手段4の第２実施例の側面図である。
【図７Ｃ】多連結用光固定手段4の第２実施例の底面図である。
【図８Ａ】多連結用光固定手段4の第２実施例を用いた場合の、多連結用光コネクタプラグ1の平面図である。
【図８Ｂ】多連結用光固定手段4の第２実施例を用いた場合の、多連結用光コネクタプラグ1の側面図である。
【図９Ａ】多連結用光固定手段4の第３実施例の正面図である。
【図９Ｂ】多連結用光固定手段4の第３実施例の側面図である。
【図９Ｃ】多連結用光固定手段4の第３実施例の底面図である。
【図１０Ａ】２個の光コネクタプラグを連結する場合の、従来例に係る多連結用光コネクタプラグ20の使用状態を示す説明図である。
【図１０Ｂ】３個の光コネクタプラグを連結する場合の、従来例に係る多連結用光コネクタプラグ20の使用状態を示す説明図である。
【発明を実施するための最良の形態】
【０００８】
本発明に係る多連結用光コネクタプラグ1は、図１Ａ〜図２に示すように、一つ一つが独立した光コネクタプラグ1aを横方向に連結したものである。光コネクタプラグ1aは、光ファイバケーブル（図示せず）と、その光ファイバケーブルの素線が接着されて相手方の素線と接続させるフェルール2と、これらを支持する絶縁ハウジング3とで、概ね構成されている。【０００９】
光コネクタプラグ1aの絶縁ハウジング3は、左右方向には幅の狭い、前後方向に長く、左右の側面の面積が大きい、全体として細長いやや長方形状である。この絶縁ハウジング3の外周部には、図１Ａ〜図１Ｃおよび図３Ａに示すように、隣接する光コネクタプラグ1a,1aと当接する両側面3a,3b側に横方向に連結の際の位置決め用の係合突部3cと係合凹部3dとが係合するように対向配置に設けられている。この係合凹部3dに係合する係合突部3cの、側面からの突出量は小さくしてある。【００１０】
なお、直前の係止孔3eは、フェルール2を絶縁ハウジング3に前方から挿着させた時の抜去防止用のフェルール2側の突起が係合する孔である。また、上下２本のロック腕3f,3gは、嵌合相手のレセプタクルにロックする爪部を有する弾性腕部である。【００１１】
更に、図３Ａおよび図３Ｂに示すように、絶縁ハウジング3の後部側の外周部には、横方向に隣接する光コネクタプラグ1a,1aを連結するコ字状の多連結用固定手段4（図４Ａ〜図４Ｃ参照）を跨設させるための連結ガイド部が設けられている。この連結ガイド部の一例として、連結凹部3hが、この絶縁ハウジング3の軸心回りの全周に亘り所要の幅で設けられている。【００１２】
なお、図３Ａおよび図３Ｂに示す一実施例では、連結凹部3hの途中において、両側面3a,3bに貫通する矩形状の横孔3iが設けられている。なお、この連結ガイド部は、上記連結凹部3hに限らず、例えば、絶縁ハウジング3の上面部若しくは下部面と両側面とに連続する凹部であって全周に亘って形成されていなくても良い。また、絶縁ハウジング3の表面から突出した突起によりガイドされる凹溝でも良い。【００１３】
横孔3iは、光コネクタプラグに光ファイバケーブルを挿通してかしめて絶縁ハウジング3へ固定するための円筒状固定用パイプ5を、絶縁ハウジング3に仮止めした状態で工具を差し込んでかしめ作業できるようにするための貫通孔である。【００１４】
連結凹部3hには、多連結用固定手段4の平板部4aの一部4cと係合する係止部3jが設けられている。この係止部3jは、横孔3iを形成することで、横孔3iの幅が連結凹部3hの幅よりも大きいので、自動的に係止部として形成されるものである。【００１５】
多連結用固定手段4は、第１実施例として、図４Ａ、図４Ｂおよび図４Ｃに示すように、全体がコ字状の板厚の薄い、金属製もしくは合成樹脂製の固定具であって、両側に矩形状の平板部4aがあり、幅の細い繋ぎ部4bがある。この平板部4aは、絶縁ハウジング3の側面3a、3bにおける横孔3iの形状にほぼ合致する大きさ・形状であり、繋ぎ部4bは、連結凹部3hの幅とほぼ同じである。【００１６】
このような多連結用固定手段4を使って、光コネクタプラグ1aを複数個横方向に連結するには、図１Ａ〜図２および図５に示すように、隣接する光コネクタプラグ1aの側面3aの係合突起3cと側面3bの係合凹部3dとを嵌合させて位置合わせして、次に、連結する横方向に直交する上下方向から、絶縁ハウジング3の連結凹部3hに、多連結用固定手段4を若干開かせて嵌合及び跨設させる。そして、連結凹部3hの係止部3jに平板部4aの一部4cが係止される。こうして、例えば、光コネクタプラグ1aが２個の場合に、光コネクタプラグ1a,1aが横方向（左右方向）に連結される。【００１７】
また、図６Ａおよび図６Ｂに示すように、光コネクタプラグ1aが３個以上になると、多連結用固定手段4は、光コネクタプラグ1aを一つおきにして、連結する横方向に直交する上下方向から互い違いに、連結凹部3hに跨設される。また、多連結用光固定手段4の板厚は薄いので、連結凹部3hの内部に入り込み、外部に突出することがない。よって、光コネクタプラグ1aを連結してなる多連結用光コネクタプラグ1の幅を、より大きくしてしまうことはない。【００１８】
このように、多連結用固定手段4を、例えば、コ字状の開口部を下に向けて上から連結凹部3hに跨設させると、次は、横に一つおいて前回とは逆にして、下方向から２個の光コネクタプラグ1aの連結凹部3hに跨設させる。これを繰り返すことで、任意の多連結用光コネクタプラグ1が構成されるものである。また、多連結用光コネクタプラグ1を分離する場合には、適宜に、一つの多連結用固定手段4を、上方向若しくは下方向に外せばよい。【００１９】
このほか、固定金具の第２実施例として、図７Ａ〜図８Ｂに示すように、平板部6aと繋ぎ部6bとでなるコ字状の本体部の中央部に、光コネクタプラグ1a,1a間に介装され、両光コネクタプラグ1aが連結状態でその後端部において隙間ができてぐらつかないように、その間隔を保持する間隙保持部6dが設けられた多連結固定金具6がある。これにより、光コネクタプラグ1aの全部における側壁に突起部があっても、横に連結した状態で突起部が当たることもなくなり、ぐらつくこともない。また、図９Ａ〜図９Ｃに示すように、固定力を強化した固定金具の第３実施例として、平板部7aと繋ぎ部7bと、この繋ぎ部7bの下部から繋ぎ部7bに平行にして内側に伸ばした固定強化部7eを設けた多連結固定金具7とするものもある。これにより、固定強化部7e,7eで光コネクタプラグ1aを両側から包むように囲って、隣接する光コネクタプラグ1a,1aを強固に連結することができる。
【産業上の利用可能性】
【００２０】
本発明に係る多連結用光コネクタプラグは、光コネクタプラグを多連結する絶縁ハウジングと多連結用固定手段とにより形成されるものであるので、光通信用の光ファイバケーブルの接続に使用される光コネクタプラグに限らず、電気用または通信用の電気コネクタ、更には通信ケーブル用の同軸コネクタなどにも適用できるものである。
【図１Ａ】
2007052359.tif 000003
【図１Ｂ】
2007052359.tif 000004
【図１Ｃ】
2007052359.tif 000005
【図２】
2007052359.tif 000006
【図３Ａ】
2007052359.tif 000007
【図３Ｂ】
2007052359.tif 000008
【図４Ａ】
2007052359.tif 000009
【図４Ｂ】
2007052359.tif 000010
【図４Ｃ】
2007052359.tif 000011
【図５】
2007052359.tif 000012
【図６Ａ】
2007052359.tif 000013
【図６Ｂ】
2007052359.tif 000014
【図７Ａ】
2007052359.tif 000015
【図７Ｂ】
2007052359.tif 000016
【図７Ｃ】
2007052359.tif 000017
【図８Ａ】
2007052359.tif 000018
【図８Ｂ】
2007052359.tif 000019
【図９Ａ】
2007052359.tif 000020
【図９Ｂ】
2007052359.tif 000021
【図９Ｃ】
2007052359.tif 000022
【図１０Ａ】
2007052359.tif 000023
【図１０Ｂ】
2007052359.tif 000024
【国際調査報告】
2007052359.tif 000025
2007052359.tif 000026